(57)【特許請求の範囲】
【請求項１】
長手方向に沿って刃部を備え基端側に延設した細板状の基部をハンドルに接続した切断器具であって、前記基部に沿って前記ハンドルから延設させ絶えず切断器具側に弾性を付与させた弾性部材で形成した衝撃発生杆と、該衝撃発生杆の先端の切断器具側に形成した衝撃発生用凸部又は衝撃発生用凹部と、該衝撃発生用凸部又は衝撃発生用凹部と嵌合する切断器具に刃部と直交する方向に並べて刻設した２つ以上の略半球状の衝撃発生用凹部又は衝撃発生用凸部とから成る衝撃発生部を備え、前記切断器具の刃部に切断のための負荷をかけると前記衝撃発生部の衝撃発生用凸部又は衝撃発生用凹部が前記２つ以上の衝撃発生用凹部又は衝撃発生用凸部を負荷方向に移動嵌合することにより衝撃が発生することを特徴とする衝撃を利用した切断器具。
【請求項２】
対峙させた一対の把持杆の先端が絶えず離間するように弾性を付与して基端辺を接続すると共に先端辺に沿って少なくとも片側の挟持片に刃部を備えた切断器具であって、前記一対の把持杆から相互に接触するように突設させた板状の夫々の衝撃発生部と、該夫々の衝撃発生部のずれた位置に夫々突設させた衝撃発生用凸部とを備え、前記切断器具の刃部に切断のための負荷をかけると前記衝撃発生部の衝撃発生用凸部が相互に乗り越えることにより衝撃が発生することを特徴とする衝撃を利用した切断器具。
【請求項３】
対峙させた一対の把持杆の先端が絶えず離間するように弾性を付与して基端辺を接続すると共に先端辺に沿って少なくとも片側の挟持片に刃部を備えた切断器具であって、前記一対の把持杆から相互に接触するように突設させた板状の夫々の衝撃発生部と、該片方の衝撃発生部に突設させた衝撃発生用凸部と、該衝撃発生用凸部とずれた位置の他方の衝撃発生部に凹設させた衝撃発生用凹部とを備え、前記切断器具の刃部に切断のための負荷をかけると前記衝撃発生部の衝撃発生用凸部が衝撃発生用凹部に落ち込むことにより衝撃が発生することを特徴とする衝撃を利用した切断器具。
【請求項４】
対峙させた一対の把持杆の先端が絶えず離間するように弾性を付与して基端辺を接続すると共に先端辺に沿って少なくとも片側の挟持片に刃部を備えた切断器具であって、前記一対の把持杆から相互に接触するように突設させた曲面を有した夫々の衝撃発生部と、該夫々の衝撃発生部の曲面で挟着させるバネにより支持された衝撃発生用コロ又は衝撃発生用球体とを備え、前記切断器具の刃部に切断のための負荷をかけると前記衝撃発生部の夫々の曲面が挟着させた衝撃発生用コロ又は衝撃発生用球体を突設部分から離れる方向へ弾くことにより衝撃が発生することを特徴とする衝撃を利用した切断器具。
【請求項５】
前記一対の把持杆の片側に備えた刃部と対峙する他側の挟持片には刃部又は切断用刃受け部を形成したことを特徴とする請求項２〜４のいづれか一項に記載の衝撃を利用した切断器具。
【請求項６】
前記一対の把持杆の先端を閉じた状態での把持杆の対峙する面の間隔が、刃部と先端外周端との間隔の２倍以内としたことを特徴とする請求項２〜５のいづれか一項に記載の衝撃を利用した切断器具。
【請求項７】
前記切断器具の少なくとも人間の肌に触れる部分をチタン又は銀又はセラミックで形成又は被覆させたことを特徴とする請求項２〜６のいづれか一項に記載の衝撃を利用した切断器具。
【発明の詳細な説明】
【０００１】
【発明の属する技術分野】
本発明は、衝撃力を利用した包丁、ナイフ、又は、毛切りや糸切りのような切断器具に関するものである。
【０００２】
【従来の技術】
従来、糸や毛糸、皮ひも、線材等を切るにはハサミやニッパが使われている。また、骨付き肉や小魚を刻むときは、包丁でなくハサミを使うことが多い。ハサミは先が尖っていることが多く危険であると同時に、切れずに刃が開き、刃の間に挟まることもある。また、強い力が必要である。漬物等をまな板で切るときに最後の一皮が残るときがある。毛を刈るものにバリカン式のものがあり、毛を抜くものに毛抜きがある。バリカン式は、微細部に向かない。毛抜きは毛を抜くため痛い。また、毛根を痛めたりする。鼻毛等の微細部の毛を切るときにはハサミを使う。ハサミは微細部の毛を切るときに危なく、皮膚を痛めることがある。一般に包丁、ハサミ、バリカン、毛抜きは、ステンレス、鉄等の材料で形成され、ステンレス材以外では表面にニッケル、クロム等のメッキで仕上げられたものが多い。これらは肌アレルギーを起こすことがある。
【０００３】
【発明が解決しようとする課題】
本発明の衝撃を利用した切断器具は、弱い力で糸、紐、線材、調理材料等を切る切断器具と、鼻毛を含む繊細な部分の毛を切る道具で、粘膜、肌を痛めない安全な毛切りで、アレルギーにも考慮することを目的とする。
【０００４】
【課題を解決するための手段】
前記目的を解決するための衝撃を利用した切断器具は、長手方向に沿って刃部を備え基端側に延設した基部をハンドルに接続した切断器具であって、ハンドルから延設させ絶えず切断器具側に弾性を付与させた弾性部材で形成した衝撃発生杆と、衝撃発生杆の先端に突設した衝撃発生用凸部と、衝撃発生用凸部が嵌入する２つの略半球状の衝撃発生用凹部とから成る衝撃発生部を備えたものであり、更に、一対の把持杆の先端が絶えず離間するように弾性を付与して基端辺を接続すると共に先端に沿って刃部を備えた切断器具であって、一対の把持杆から接触するように突設させた衝撃発生部と、衝撃発生部のづれた位置に突設させた衝撃発生用凸部とを備え、又、一対の把持杆から接触するように突設させた板状の衝撃発生部と、衝撃発生部のづれた位置に突設させた衝撃発生用凸部とを備え、又、一対の把持杆から接触するように突設させた板状の衝撃発生部と、片方の衝撃発生部に突設させた衝撃発生用凸部と、衝撃発生用凸部とづれた位置の他方の衝撃発生部に凹設させた衝撃発生用凹部とを備え、又、一対の把持杆から接触するように突設させた曲面を有した衝撃発生部と、衝撃発生部の曲面で挟着させるバネにより支持された衝撃発生用コロ又は衝撃発生用球体とを備え、切断器具の刃部に切断のための負荷をかけると衝撃発生部により衝撃が発生することで容易に切断をするものである。
【０００５】
【発明の実施の形態】
本発明は、衝撃力を利用した包丁、ナイフ、又は、毛切りや糸切りのような切断器具に関するものであり、請求項１に記載の衝撃を利用した切断器具は、長手方向に沿って刃部１を備え基端側に延設した細板状の基部３をハンドルに接続した切断器具であって、前記基部３に沿って前記ハンドルから延設させ絶えず切断器具側に弾性を付与させた弾性部材で形成した衝撃発生杆４と、該衝撃発生杆４の先端の切断器具側に形成した衝撃発生用凸部又は衝撃発生用凹部８と、該衝撃発生用凸部又は衝撃発生用凹部８と嵌合する切断器具に刃部１と直行する方向に並べて刻設した２つ以上の略半球状の衝撃発生用凹部又は衝撃発生用凸部７とから成る衝撃発生部２を備え、前記切断器具の刃部１に切断のための負荷をかけると前記衝撃発生部２の衝撃発生用凸部又は衝撃発生用凹部８が前記２つ以上の衝撃発生用凹部又は衝撃発生用凸部７を負荷方向に移動嵌合することにより衝撃が発生することを特徴とするものである。
【０００６】
更に、請求項２に記載の衝撃を利用した切断器具は、対峙させた一対の把持杆の先端が絶えず離間するように弾性を付与して基端辺を接続すると共に先端辺に沿って少なくとも片側の挟持片に刃部１を備えた切断器具であって、前記一対の把持杆から相互に接触するように突設させた板状の夫々の衝撃発生部２と、該夫々の衝撃発生部２のづれた位置に夫々突設させた衝撃発生用凸部９とを備え、前記切断器具の刃部１に切断のための負荷をかけると前記衝撃発生部２の衝撃発生用凸部９が相互に乗り越えることにより衝撃が発生することを特徴とするものである。
【０００７】
更には、請求項３に記載の衝撃を利用した切断器具は、対峙させた一対の把持杆の先端が絶えず離間するように弾性を付与して基端辺を接続すると共に先端辺に沿って少なくとも片側の挟持片に刃部１を備えた切断器具であって、前記一対の把持杆から相互に接触するように突設させた板状の夫々の衝撃発生部２と、該片方の衝撃発生部２に突設させた衝撃発生用凸部９と、該衝撃発生用凸部９とづれた位置の他方の衝撃発生部２に凹設させた衝撃発生用凹部２１とを備え、前記切断器具の刃部１に切断のための負荷をかけると前記衝撃発生部２の衝撃発生用凸部９が衝撃発生用凹部２１に落ち込むことにより衝撃が発生することを特徴とするものである。
【０００８】
加えて、請求項４に記載の衝撃を利用した切断器具は、対峙させた一対の把持杆の先端が絶えず離間するように弾性を付与して基端辺を接続すると共に先端辺に沿って少なくとも片側の挟持片に刃部１を備えた切断器具であって、前記一対の把持杆から相互に接触するように突設させた曲面を有した夫々の衝撃発生部２と、該夫々の衝撃発生部２の曲面で挟着させるバネ２０により支持された衝撃発生用コロ又は衝撃発生用球体１９とを備え、前記切断器具の刃部１に切断のための負荷をかけると前記衝撃発生部２の夫々の曲面が挟着させた衝撃発生用コロ又は衝撃発生用球体１９を突設部分から離れる方向へ弾くことにより衝撃が発生することを特徴とするものである。
【０００９】
更には、請求項５に記載の衝撃を利用した切断器具は、請求項２〜４のいづれか一項に記載の衝撃を利用した切断器具において、前記一対の把持杆の片側に備えた刃部１と対峙する他側の挟持片には刃部１又は切断用刃受け部１１を形成したことを特徴とするものである。
【００１０】
更には、請求項６に記載の衝撃を利用した切断器具は、請求項２〜５のいづれか一項に記載の衝撃を利用した切断器具において、前記一対の把持杆の先端を閉じた状態での把持杆の対峙する面の間隔１５が、刃部１６．１７と先端外周端１２との間隔１４の２倍以内としたことを特徴とするものである。
【００１１】
更には、請求項７に記載の衝撃を利用した切断器具は、請求項２〜６のいづれか一項に記載の衝撃を利用した切断器具において、前記切断器具の少なくとも人間の肌１３に触れる部分をチタン又は銀又はセラミックで形成又は被覆させたことを特徴とするものである。
【００１２】
以下、本発明の衝撃を利用した切断器具の各種実施形態について、図面を用いて説明すると、図１に示すのは、衝撃力発生部を持つ切断器具である包丁の例を示すもので、この包丁は、刃部１と衝撃発生部２とバネ性を持つ基部３とバネ性を持つ衝撃発生杆４と衝撃発生用凹部又は衝撃発生用凸部７と衝撃発生用凸部又は衝撃発生用凹部８で構成される。
【００１３】
ここで、図１（Ａ）に図示する実施例では、まな板６の上に置かれた漬け物５を切ろうとハンドルを把持して押下して負荷をかけると、衝撃発生用凹部７の上部に位置した衝撃発生用凸部８に負荷がかかり、一定以上の負荷が衝撃発生部２にかかるとバネ性を持つ衝撃発生杆４は刃部１の方向に伸び、衝撃発生用凸部８が２つの衝撃発生用凹部７の上方から下方に山を越えて移動し、結果として図１（Ｂ）に図示するように衝撃発生部２が開放され、次に衝撃発生用凸部８が衝撃発生用凹部７の下端に当たり、衝撃が発生し、刃部１に伝わるものであり、勿論、衝撃発生用凸部８と衝撃発生用凹部７とは逆に形成しても構わないものである。
【００１４】
そして、図２に図示するものは、鼻毛切りが衝撃発生用凸部９．９ａ同士の接触により衝撃を発生する実施例を示すもので、この毛切りは、刃部１と切断用刃受け部１１と衝撃発生用凸部９と衝撃発生部２とを備えており、毛切りで毛１０を切ろうと両側の把持杆を把持すると衝撃発生部２に負荷がかかり、一定以上の負荷が衝撃発生部２にかかると、図４に図示するように、バネ性を持つ衝撃発生部２の凸部支持柄１８は左右に動き、衝撃発生用凸部９が下側に、他側の衝撃発生用凸部９ａが上側に移動し、結果として衝撃発生部２が開放され、刃部１と切断用刃受け部１１が当たるため、衝撃が発生するものである。
【００１５】
次に、図３に図示するもののは、毛切りの先端外周端１２と肌１３の関係を示すもので、毛切り先端外周端１２の刃先１、上刃１６と下刃１７との合計の背丈、つまり、一対の把持杆の先端を閉じた状態での把持杆の対峙する面の間隔１５は、刃部１と先端外周端１２との間隔１４の２倍以内とした毛１０を切る毛切りであり、先端外周端１２から刃部１を内部に設けており、さらに、刃先先端１２が丸みを帯びているため肌１３を痛めずに毛１０を切ることができるものである。
【００１５】
次いで、図４に図示するものは衝撃発生部２の実施例を示し、衝撃発生部２に荷重をかけたときの衝撃発生部２の状態変化を示すもので、図４（Ａ）に図示するものは、切断のための負荷を加える前の状態を表し、一定以上の負荷が衝撃発生部２にかかると、図４（Ｂ）に図示するようにバネ性を持つ凸部支持柄１８が左右に動き、衝撃発生用凸部９が下側に、他の衝撃発生用凸部９ａが上側に移動し、結果として図４（Ｃ）に図示するように衝撃発生部２が開放されるものである。
【００１６】
更に、図５は衝撃発生部２の次実施例を示し、衝撃発生部２に負荷をかけたときの衝撃発生部２の状態変化を示すもので、図５（Ａ）に図示するものは負荷を加える前の状態を表し、衝撃発生部２に負荷をかけたときに、図５（Ｂ）に図示するのようにバネ２０によって支持されていた衝撃発生用コロ又は衝撃発生用球状物１９が図示する左に移動しようとし、更に一定以上の負荷が衝撃発生部２にかかると、バネ２０によって支持されていた衝撃発生用コロ又は衝撃発生用球体１９が図示する左に移動し、図５（Ｃ）に図示するように衝撃発生部２の負荷が一部開放されるものである。
【００１７】
更には、図６に図示するものは、衝撃発生部２の他の実施例を示し、衝撃発生部２に負荷をかけたときの衝撃発生部２の状態変化を示すもので、図６（Ａ）に図示するものは負荷を加える前の状態を表し、一定以上の負荷が衝撃発生部２にかかると、図６（Ｂ）に図示するようにバネ性を持つ凸部支持柄１８及び凹部支持柄２２はそれぞれ、凸部支持柄１８が左、凹部支持柄２２が右へ動き、衝撃発生用凸部９が下側に、衝撃発生用凹部２１が上へ移動し、結果として図６（Ｃ）に図示するように衝撃発生部２が開放されるものである。
【００１８】
そして、図７に図示するものは、切断器具である毛切りの刃先を外周より内部に入れた状態の刃先と台座の関係の実施例を示しているもので、図７（Ａ）に図示するものは、両刃をとがらせ、上刃１６と下刃１７との刃先をずらして噛み合わせているものであり、加えて、上刃１６と下刃１７の刃先の角度を変えているもので、図７（Ｂ）に図示するものは、切断用刃受け部１１を斜めに窪ませて上刃１６と噛み合わせており、図７（Ｃ）に図示するものは、切断用刃受け部１１を平らにして上刃１６と噛み合わせているものである。
【００１９】
次に、図８に図示するものは、糸切り、紐切り等の刃先の一例を示す。上刃１６と切断用刃受け部１１とを備えているものである。
【００２０】
図に示していないが、毛切りを含む切断器具の少なくとも人の触れる部分にアレルギー反応の少ないチタン、銀、又は、セラミックを使用することによりアレルギー反応を抑えることができる。
【００２１】
【発明の効果】
衝撃力を利用して少ない力で安全に、糸、紐、線材、調理材料等が良く切れる切断器具ができる。また、毛切りを含む切断器具に衝撃力を利用することにより少ない力で確実に切れる毛切りを含む切断器具ができる。肌を挟みにくく、粘膜、肌を痛めない安全な毛切りができる。アレルギー反応を無くすことができる。
【００２２】
【図面の簡単な説明】
【図１】本発明に係る衝撃発生部を持つ包丁の実施例である。
【図２】本発明に係る衝撃発生部を持つ毛切りの実施例である鼻毛切りである。
【図３】本発明に係る毛切り時の肌と刃先先端の関係の実施例である。
【図４】本発明に係る凸部同士が接触する衝撃発生部の状態を表す実施例である。
【図５】本発明に係るバネで押さえられたコロ、又は球状物による衝撃発生部の状態を表す実施例である。
【図６】本発明に係る凸部と穴、又は凹部が接触する衝撃発生部の状態を表す実施例である。
【図７】本発明に係る刃先と台座の関係を示す。
【図８】本発明に係る糸切り、紐切り等の刃先の実施例である。
【符号の説明】
１…刃部
２…衝撃発生部
３…基部
４…衝撃発生杆
５…漬け物
６…まな板
７…衝撃発生用凹部又は衝撃発生用凸部
８…衝撃発生用凸部又は衝撃発生用凹部
９…衝撃発生用凸部
１０…毛
１１…切断用刃受け部
１２…先端外周端
１３…肌
１４…刃部と先端外周端との間隔
１５…対峙する面の間隔
１６…上刃
１７…下刃
１８…凸部支持柄
１９…衝撃発生用コロ又は衝撃発生用球体
２０…バネ
２１…衝撃発生用凹部
２２…凹部支持柄
【図１】
0004739500.tif 000002
【図２】
0004739500.tif 000003
【図３】
0004739500.tif 000004
【図４】
0004739500.tif 000005
【図５】
0004739500.tif 000006
【図６】
0004739500.tif 000007
【図７】
0004739500.tif 000008
【図８】
0004739500.tif 000009